(57)【要約】      （修正有）【課題】コーナーカットカートン製品箱の端部に違和感なく一体化させつつ見栄えを良くした状態で添付される景品箱を提供する。【解決手段】景品箱は、添付に際して、コーナーカットカートン製品外箱の長手方向の端部の頂部である四角形平面と、この四角形平面の両端にそれぞれ連接されるコーナーカット平面とを覆う箱形態であり、上面板１０と、複数の側面板２０，３０と、側面板を連結する連結板４０と底面形成板５０，６０を有する。【選択図】図１
0003158654.tif 000002
【実用新案登録請求の範囲】
【請求項１】
上面８角形のコーナーカットカートン製品外箱の長手方向の端部に一体化可能に添付される景品箱であって、
該景品箱は、添付に際して、コーナーカットカートン製品外箱の長手方向の端部の頂部である四角形平面と、この四角形平面の両端にそれぞれ連接されるコーナーカット平面と、をそれぞれ覆う箱形態を有し、
該景品箱は、長辺および短辺を備える長方形の上面板と、上面板の長辺側にそれぞれ連接される長辺-側面板と、上面板の短辺側にそれぞれ連接される短辺-側面板と、長辺-側面板の端部と短辺-側面板との端部をそれぞれ連結する三角形形状の連結板と、長辺-側面板の外方に連接される第１の底面形成板と、短辺-側面板の外方に連接される第２の底面形成板と、を有し、
長辺-側面板の端部の長さと、短辺-側面板の端部の長さとが同じであり、連結板を折り畳むことにより長辺-側面板の端部と短辺-側面板との端部とが合致するようになっており、
長辺-側面板の端部には、被着対象であるコーナーカットカートン製品外箱のコーナーカット平面を覆う面を形成するための、コーナーカット角度θと実質的に同じ角度で内側に切り込まれた傾斜カットラインが形成されており、
前記第２の底面形成板には、前記傾斜カットラインに沿って被着対象であるコーナーカットカートン製品外箱のコーナーカット平面を覆うことのできる傾斜底部と、この傾斜底部に連接して被着対称であるコーナーカットカートン製品外箱の端部の頂部である四角形平面を覆うことのできるフラット底部を有しており、
前記第１の底面形成板は、前記第２の底面形成板のフラット底部と重なった状態で着脱可能に係止されてなることを特徴とする景品箱。
【請求項２】
前記第１の底面形成板には、係止用のスリットが形成されており、前記第２の底面形成板のフラット底部の先端には差し込み片が形成されており、係止用のスリットに差し込み片を挿入することにより着脱可能に係止されてなる請求項１に記載の景品箱。
【請求項３】
前記連結板は二等辺三角形であり、底辺を等分となるように連結板を折り畳むことにより長辺-側面板の端部と短辺-側面板との端部とが合致するように構成される請求項１または請求項２に記載の景品箱。
【請求項４】
前記第２の底面形成板には、コーナーカットカートン製品外箱のフラップ合せ面の隙間へ挿入して一体化固定させるための一体化装着係止片部分が形成されてなる請求項１ないし請求項３のいずれかに記載の景品箱。
【請求項５】
上面８角形のコーナーカットカートン製品外箱の長手方向の端部に一体化可能に添付される景品箱であって、
該景品箱は、添付に際して、コーナーカットカートン製品外箱の長手方向の端部の頂部である四角形平面を覆うとともに、この四角形平面の両端にそれぞれ連接されるコーナーカット平面を延長した延長平面と実質的にオーバーラップする側面を持つ箱形態を有し、
該景品箱は、長辺および短辺を備える長方形の底面板と、底面板の長辺側にそれぞれ連接される長辺-側面板と、底面板の短辺側にそれぞれ連接される短辺-側面板と、長辺-側面板の端部と短辺-側面板との端部をそれぞれ連結する菱形形状の連結板と、長辺-側面板の外方に連接される第１の上面形成板と、短辺-側面板の外方に連接される第２の上面形成板と、を有し、
長辺-側面板の端部の長さと、短辺-側面板の端部の長さとが同じであり、菱形形状の連結板を折り畳むことにより長辺-側面板の端部と短辺-側面板との端部とが合致するようになっており、
長辺-側面板の端部には、コーナーカット平面を延長した延長平面と実質的にオーバーラップする側面の傾斜角度を規定するためのテーパ端が形成されており、このテーパ端の最外部から第１の上面形成板が連なっており、
前記第２の上面形成板は、前記第１の上面形成板と重なった状態で着脱可能に係止されてなることを特徴とする景品箱。
【請求項６】
前記第２の上面形成板は、一方の短辺-側面板から連接される第１板片と、他方の短辺-側面板から連接される第２板片とから構成されており、第１板片の基部には係止用のスリットが形成されており、第２板片の先端には差し込み片が形成されており、係止用のスリットに差し込み片を挿入することにより着脱可能に係止されてなる請求項５に記載の景品箱。
【請求項７】
前記コーナーカット角度θが４５°であり、前記長辺-側面板の端部を構成するテーパ端の底板面との基部側角度θ2が４５°である請求項５または請求項６に記載の景品箱。
【請求項８】
前記第１の上面形成板の長手方向には、さらに補強用のパネルが延設されてなる請求項５ないし請求項７のいずれかに記載の景品箱。
【請求項９】
前記長方形の底面板には、コーナーカットカートン製品外箱のフラップ合せ面の隙間へ挿入して一体化固定させるための一体化装着係止片が形成されてなる請求項５ないし請求項８のいずれかに記載の景品箱。
【請求項１０】
前記長辺である折り線の中央部には、係止用突起片を形成するための切り込み線が形成されており、当該折り線を折り曲げることによって、当該係止用突起片は、長辺-側面板と一体面となった状態で外方に突出して、コーナーカットカートン製品外箱との一体化に際して、コーナーカットカートン製品外箱の上面板および底面板の上に被着されるようにして係止されることが可能となっており、
前記長辺である折り線の両側近傍には、それぞれ、係止用小突出片を形成するための切り込み線が形成されており、当該折り線を折り曲げることによって、当該係止用小突出片は、底面板と一体面となった状態で外方に突出して、コーナーカットカートン製品外箱との一体化に際して、コーナーカットカートン製品外箱の上面板および底面板に対して垂直に突出した係止突起の状態を形成するようになっている請求項５ないし請求項９のいずれかに記載の景品箱。
【請求項１１】
上面８角形のコーナーカットカートン製品外箱の長手方向の端部に一体化可能に添付される景品箱であって、
該景品箱は、添付に際して、コーナーカットカートン製品外箱のコーナーカット平面を覆うとともに、コーナーカット部分に収まる二等辺直角三角形を頂部および底部とする三角柱形状の箱形態を有し、
該景品箱は、三角柱形状の直角を形成する第１の側面板と第２の側面板と、第１の側面板に連接される第１の底面板と、第２の側面板に連接される第２の底面板と、第２の底面板の長手方向の両端部にそれぞれ形成される蓋板と、を有し、
前記第１の底面板と、前記第２の底面板とは重ねられた状態で着脱可能に係止されてなることを特徴とする景品箱。
【請求項１２】
前記第１の底面板には、係止窓が形成されており、前記第２の底面板には差し込み片が形成されており、係止窓に差し込み片を挿入して内部に折り込むことにより着脱可能に係止されてなる請求項１１に記載の景品箱。
【請求項１３】
三角柱形状の直角を形成する第１の側面および第２の側面が、それぞれ、コーナーカットカートン製品外箱の直交する側面のラインに沿うように構成されており、重ねられた状態にある前記第１の底面板と前記第２の底面板との組み合わせ面が、コーナーカットカートン製品外箱のコーナーカット平面を覆うように構成される請求項１１または請求項１２に記載の景品箱。
【請求項１４】
前記第２の底面板の端部には一体化固定させるための一体化装着係止片が少なくとも２個形成されてなる請求項１１ないし請求項１３のいずれかに記載の景品箱。
【請求項１５】
請求項１ないし請求項１４のいずれかに記載の景品箱が、上面８角形のコーナーカットカートン製品外箱の長手方向の端部に添付されているコーナーカットカートン製品箱。
【考案の詳細な説明】
【技術分野】
【０００１】
本考案は、缶ビール等の飲料が収納されたコーナーカットカートン製品箱の端部に一体化可能に添付される景品箱に関し、特に、コーナーカットカートン製品箱の端部の形態をうまく利用して、当該形態に違和感なく一体化させつつ見栄えを良くした状態で添付される景品箱に関する。景品箱には販売促進用物品が収納される。
【背景技術】
【０００２】
従来から、商品の販売促進を図るためや、商品の存在を需要者に広くアピールするために、商品に販売促進用物品（以下、単に「販促物」と称す）を添えて販売しようとする試みがある。
【０００３】
また、商品に販促物を添えるシステムとして、（１）販売時に商品の購入とともにその場で販促物を需要者に手渡すシステムと、（２）商品と販促物を物理的に一体化しておき、需要者がその商品を購入すれば自動的に販促物が得られるシステムと、の双方が現在主流をなしている。
【０００４】
前者（１）のシステムでは、販促物を直接、購入者に手渡すという作業が必要となるために販売店での負担が大きい。また、常に、レジ周辺に多量の販促物を置いておかねばならず、広いスペースを確保しておかねばならないという問題もある。
【０００５】
また、後者（２）のシステムでは、商品と販促物を出荷の段階までに物理的に一体化させるという製造段階でのメーカー側の作業が必要となる。
【０００６】
上記２つのシステムを比較考量するに、長期に亘って大量の販促物を商品に添えて販売しようとすれば、後者（２）のシステムによる方法の方が、幅広い地域での販売展開が簡易に実現可能となり、拡販効果も大きいと思われる。また、トータルのコストを考えても有利である。このような観点から、従来より、後者（２）のシステム、すなわち、商品に販促物を物理的に一体化させるための種々の方法が考えられてきた。
【０００７】
ところで、本件出願人らがすでに特許の権利化を図っており、市場においてもその形状の斬新性から一目でメーカーの出所が確認できる缶ビール等の飲料が収納されたコーナーカットカートン製品箱が存在する（特開２００４−１５５４７９（特許３７８０２４９））。
【０００８】
このようなコーナーカットカートン製品箱の端部は、四方のコーナーがカットされた特殊な形態をしている。そのため、コーナーカットカートン製品箱の長手方向の端部に、販促品を収納した景品箱を添付する場合、コーナーカットカートン製品箱の端部の形態をうまく利用して、当該形態に違和感なく一体化させつつ見栄えを良くした状態で添付される新規な景品箱を提案する必要がある。
【０００９】
なお、一体化に際しては、販促キャンペーン終了後に元の製品箱形態に戻しての単独での販売が可能であることや、積載の際にパレットからオーバーハングしない大きさとすることや、輸送耐久性があること等が望まれる。
【先行技術文献】
【特許文献】
【００１０】
【特許文献１】特開平０８−０８５５４９号公報
【考案の概要】
【考案が解決しようとする課題】
【００１１】
このような実状のもとに、本考案は創案されたものであって、その目的は、缶ビール等の飲料が収納されたコーナーカットカートン製品箱の端部に一体化可能に添付される景品箱であって、コーナーカットカートン製品箱の端部の形態をうまく利用して、当該形態に違和感なく一体化させつつ見栄えを良くした状態で添付される新規な景品箱を提供することにある。
【課題を解決するための手段】
【００１２】
このような課題を解決するために本考案は、上面８角形のコーナーカットカートン製品外箱の長手方向の端部に一体化可能に添付される景品箱であって、該景品箱は、添付に際して、コーナーカットカートン製品外箱の長手方向の端部の頂部である四角形平面と、この四角形平面の両端にそれぞれ連接されるコーナーカット平面と、をそれぞれ覆う箱形態を有し、該景品箱は、長辺および短辺を備える長方形の上面板と、上面板の長辺側にそれぞれ連接される長辺-側面板と、上面板の短辺側にそれぞれ連接される短辺-側面板と、長辺-側面板の端部と短辺-側面板との端部をそれぞれ連結する三角形形状の連結板と、長辺-側面板の外方に連接される第１の底面形成板と、短辺-側面板の外方に連接される第２の底面形成板と、を有し、長辺-側面板の端部の長さと、短辺-側面板の端部の長さとが同じであり、連結板を折り畳むことにより長辺-側面板の端部と短辺-側面板との端部とが合致するようになっており、長辺-側面板の端部には、被着対象であるコーナーカットカートン製品外箱のコーナーカット平面を覆う面を形成するための、コーナーカット角度θと実質的に同じ角度で内側に切り込まれた傾斜カットラインが形成されており、前記第２の底面形成板には、前記傾斜カットラインに沿って被着対象であるコーナーカットカートン製品外箱のコーナーカット平面を覆うことのできる傾斜底部と、この傾斜底部に連接して被着対称であるコーナーカットカートン製品外箱の端部の頂部である四角形平面を覆うことのできるフラット底部を有しており、前記第１の底面形成板は、前記第２の底面形成板のフラット底部と重なった状態で着脱可能に係止されてなるように構成される。
【００１３】
本考案の景品箱の好ましい態様として、前記第１の底面形成板には、係止用のスリットが形成されており、前記第２の底面形成板のフラット底部の先端には差し込み片が形成されており、係止用のスリットに差し込み片を挿入することにより着脱可能に係止されてなるように構成される。
【００１４】
本考案の景品箱の好ましい態様として、前記連結板は二等辺三角形であり、底辺を等分となるように連結板を折り畳むことにより長辺-側面板の端部と短辺-側面板との端部とが合致するように構成される。
【００１５】
本考案の景品箱の好ましい態様として、前記第２の底面形成板には、コーナーカットカートン製品外箱のフラップ合せ面の隙間へ挿入して一体化固定させるための一体化装着係止片部分が形成されてなるように構成される。
【００１６】
本考案は、上面８角形のコーナーカットカートン製品外箱の長手方向の端部に一体化可能に添付される景品箱であって、該景品箱は、添付に際して、コーナーカットカートン製品外箱の長手方向の端部の頂部である四角形平面を覆うとともに、この四角形平面の両端にそれぞれ連接されるコーナーカット平面を延長した延長平面と実質的にオーバーラップする側面を持つ箱形態を有し、該景品箱は、長辺および短辺を備える長方形の底面板と、底面板の長辺側にそれぞれ連接される長辺-側面板と、底面板の短辺側にそれぞれ連接される短辺-側面板と、長辺-側面板の端部と短辺-側面板との端部をそれぞれ連結する菱形形状の連結板と、長辺-側面板の外方に連接される第１の上面形成板と、短辺-側面板の外方に連接される第２の上面形成板と、を有し、長辺-側面板の端部の長さと、短辺-側面板の端部の長さとが同じであり、菱形形状の連結板を折り畳むことにより長辺-側面板の端部と短辺-側面板との端部とが合致するようになっており、長辺-側面板の端部には、コーナーカット平面を延長した延長平面と実質的にオーバーラップする側面の傾斜角度を規定するためのテーパ端が形成されており、このテーパ端の最外部から第１の上面形成板が連なっており、前記第２の上面形成板は、前記第１の上面形成板と重なった状態で着脱可能に係止されてなるように構成される。
【００１７】
本考案の景品箱の好ましい態様として、前記第２の上面形成板は、一方の短辺-側面板から連接される第１板片と、他方の短辺-側面板から連接される第２板片とから構成されており、第１板片の基部には係止用のスリットが形成されており、第２板片の先端には差し込み片が形成されており、係止用のスリットに差し込み片を挿入することにより着脱可能に係止されてなるように構成される。
【００１８】
本考案の景品箱の好ましい態様として、前記コーナーカット角度θが４５°であり、前記長辺-側面板の端部を構成するテーパ端の底板面との基部側角度θ2が４５°であるように構成される。
【００１９】
本考案の景品箱の好ましい態様として、前記第１の上面形成板の長手方向には、さらに補強用のパネルが延設されてなるように構成される。
【００２０】
本考案の景品箱の好ましい態様として、前記長方形の底面板には、コーナーカットカートン製品外箱のフラップ合せ面の隙間へ挿入して一体化固定させるための一体化装着係止片が形成されてなるように構成される。
【００２１】
本考案の景品箱の好ましい態様として、前記長辺である折り線の中央部には、係止用突起片を形成するための切り込み線が形成されており、当該折り線を折り曲げることによって、当該係止用突起片は、長辺-側面板と一体面となった状態で外方に突出して、コーナーカットカートン製品外箱との一体化に際して、コーナーカットカートン製品外箱の上面板および底面板の上に被着されるようにして係止されることが可能となっており、前記長辺である折り線の両側近傍には、それぞれ、係止用小突出片を形成するための切り込み線が形成されており、当該折り線を折り曲げることによって、当該係止用小突出片は、底面板と一体面となった状態で外方に突出して、コーナーカットカートン製品外箱との一体化に際して、コーナーカットカートン製品外箱の上面板および底面板に対して垂直に突出した係止突起の状態を形成するように構成される。
【００２２】
本考案は、上面８角形のコーナーカットカートン製品外箱の長手方向の端部に一体化可能に添付される景品箱であって、該景品箱は、添付に際して、コーナーカットカートン製品外箱のコーナーカット平面を覆うとともに、コーナーカット部分に収まる二等辺直角三角形を頂部および底部とする三角柱形状の箱形態を有し、
該景品箱は、三角柱形状の直角を形成する第１の側面板と第２の側面板と、第１の側面板に連接される第１の底面板と、第２の側面板に連接される第２の底面板と、第２の底面板の長手方向の両端部にそれぞれ形成される蓋板と、を有し、前記第１の底面板と、前記第２の底面板とは重ねられた状態で着脱可能に係止されてなるように構成される。
【００２３】
本考案の景品箱の好ましい態様として、前記第１の底面板には、係止窓が形成されており、前記第２の底面板には差し込み片が形成されており、係止窓に差し込み片を挿入して内部に折り込むことにより着脱可能に係止されてなるように構成される。
【００２４】
本考案の景品箱の好ましい態様として、三角柱形状の直角を形成する第１の側面および第２の側面が、それぞれ、コーナーカットカートン製品外箱の直交する側面のラインに沿うように構成されており、重ねられた状態にある前記第１の底面板と前記第２の底面板との組み合わせ面が、コーナーカットカートン製品外箱のコーナーカット平面を覆うように構成される。
【００２５】
本考案の景品箱の好ましい態様として、前記第２の底面板の端部には一体化固定させるための一体化装着係止片が少なくとも２個形成されてなるように構成される。
【００２６】
本考案の製品箱は、上面８角形のコーナーカットカートン製品外箱の長手方向の端部に上記記載景品箱が添付されて構成される。
【考案の効果】
【００２７】
本考案は、上面８角形のコーナーカットカートン製品外箱の長手方向の端部に一体化可能に添付される景品箱であって、添付に際して、コーナーカットカートン製品外箱の長手方向の端部の頂部である四角形平面と、この四角形平面の両端にそれぞれ連接されるコーナーカット平面と、をうまく利用して覆う箱形態を有して構成されているので、コーナーカットカートン製品箱と景品箱の合体状態が違和感なく一体化されて形成されており、見栄えも良い。さらに、違和感なく一体化されているために箱自体のハンドリングも楽であるし、十分な販売促進効果が実現できると言える。
【図面の簡単な説明】
【００２８】
【図１】図１は、本考案の第１の景品箱（第１の実施形態）を展開した平面図（展開図）である。
【図２】図２は、本考案の第１の景品箱をコーナーカットカートン製品外箱の長手方向の端部に一体化可能に添付させた状態を示す斜視図である。
【図３】図３は、第１の景品箱の組み立て手順を経時的に示した概略斜視図である。
【図４】図４は、第１の景品箱の組み立て手順を経時的に示した概略斜視図である。
【図５】図５は、第１の景品箱の組み立て手順を経時的に示した概略斜視図である。
【図６】図６は、第１の景品箱の一体化装着係止片の機能を作用させる状態を示す概略斜視図である。
【図７】図７は、本考案の販売促進用の景品箱が添付される本体であるコーナーカットカートン製品箱の概略斜視図である。
【図８】図８は、本考案の第２の景品箱（第２の実施形態）を展開した平面図（展開図）である。
【図９】図９は、本考案の第２の景品箱をコーナーカットカートン製品外箱の長手方向の端部に一体化可能に添付させた状態を示す斜視図である。
【図１０】図１０は、第２の景品箱の組み立て手順を経時的に示した概略斜視図である。
【図１１】図１１は、第２の景品箱の組み立て手順を経時的に示した概略斜視図である。
【図１２】図１２は、第２の景品箱の組み立て手順を経時的に示した概略斜視図である。
【図１３】図１３は、第２の景品箱の組み立て手順を経時的に示した概略斜視図である。
【図１４】図１４は、第２の景品箱の組み立て手順を経時的に示した概略斜視図である。
【図１５】図１５は、本考案の第２の景品箱（第２の実施形態）をモディファイした変形例の平面図（展開図）である。
【図１６】図１６は、本考案の第２の景品箱（第２の実施形態）をモディファイした変形例の変形部分の組立状況を説明するための斜視図である。
【図１７】図１７は、本考案の第３の景品箱（第３の実施形態）を展開した平面図（展開図）である。
【図１８】図１８は、本考案の第３の景品箱をコーナーカットカートン製品外箱の長手方向の端部に一体化可能に添付させた状態を示す斜視図である。
【考案を実施するための形態】
【００２９】
以下、本考案の実施の形態について、詳細に説明する。
【００３０】
本考案は、缶ビール等の飲料が収納された上面８角形形状のコーナーカットカートン製品箱の端部に一体化可能に添付される景品箱に関するものであり、特に、コーナーカットカートン製品箱の端部の形態をうまく利用して、当該形態に違和感なく一体化させつつ添付される景品箱に関するものである。景品箱の中には、販売促進に寄与するであろうと選定された販売促進用物品が入れられる。
【００３１】
まず、景品箱の具体的な構成について説明をする前に、本考案の販売促進用の景品箱が添付される本体箱である、コーナーカットカートン製品箱８００について簡単に説明しておく。
【００３２】
図７の斜視図に示されるように、コーナーカットカートン製品箱８００は、直方体形状の４つの角が垂直に切り落とされたような特殊な形態を有しており、本件出願人がすでに権利化を図っているものである（特許３７８０２４９）。
【００３３】
このようなコーナーカットカートン製品箱は、上面から見た場合に、上面８角形の形態をなしており、当該形態を形成するために、内フラップ８１０が胴部（上面板８０１、底面板８０４、およびこれらを連結する側面板８０２を有して形成される）と接続する箇所において折り曲げ連接側片Ｓが介在されており、胴部の角が切り取られた形態をなしている。
【００３４】
図７において、符号８２０は上下の外フラップを示しており、手前に見える内フラップ８１０および外フラップ８２０の構成は、奥域側の対向面においても同じ構造を備えている。
【００３５】
このようなコーナーカットカートン製品外箱８００は、図７に示されるように製品外箱８００の長手方向の端部エリアに、頂部である四角形平面Ｐ（上面で見た場合の台形形状の上辺に相当）と、この四角形平面Ｐの両端にそれぞれ連接されるコーナーカット平面Ｓ（折り曲げ連接側片Ｓと実質的に同義）とが存在する。ここで頂部であるとは、上面で見た場合の台形形状の上辺に相当する箇所をいい、より具体的には、内フラップ８１０および外フラップ８２０で構成される四角形平面Ｐである。
【００３６】
本考案の景品箱は、四角形平面Ｐおよびコーナーカット平面Ｓの全部または一部を利用して、配置・添付される。どの箇所を添付場所に選定するかによって、以下の種々の態様がある。
【００３７】
〔本考案の景品箱の第１の実施形態の説明〕
本考案の景品箱の第１の実施形態（以下、単に『第１の景品箱１』と称す）を、図１〜図６を参照しつつ説明する。
【００３８】
図１は、本考案の第１の景品箱１を展開した平面図（展開図）である。図２は、本考案の第１の景品箱１をコーナーカットカートン製品外箱８００の長手方向の端部に一体化可能に添付した状態を示す斜視図であり、図３〜図５は、それぞれ、第１の景品箱１の組み立て手順を経時的に示した概略斜視図である。
【００３９】
本考案の第１の景品箱１は、図２に示されるように、上面８角形のコーナーカットカートン製品外箱の長手方向の端部に一体化可能に添付される形態をなしている。
【００４０】
本考案において、『一体化可能に添付される形態』とは、コーナーカットカートン製品外箱８００の四角形平面Ｐおよびコーナーカット平面Ｓの全部または一部を利用して、違和感無く配置・添付される形態を言う。
【００４１】
第１の実施形態における景品箱１は、図７に基づいて前述したコーナーカットカートン製品外箱の長手方向の端部の頂部である四角形平面Ｐと、この四角形平面Ｐの両端にそれぞれ連接されるコーナーカット平面Ｓと、をそれぞれ覆う箱形態を有している。第１の景品箱１の単体での概略の箱形態は、図５に示される斜視図を参照されたい。
【００４２】
本考案の第１の景品箱１は、図１に示されるように、長辺１１（折り線）および短辺１２（折り線）を備える長方形の上面板１０と、この上面板１０の長辺１１側にそれぞれ連接される長辺-側面板２０と、上面板１０の短辺１２側にそれぞれ連接される短辺-側面板３０と、長辺-側面板２０の端部２１（折り線）と短辺-側面板３０との端部３１（折り線）をそれぞれ連結する三角形形状の連結板４０と、折り線２０ａを介して長辺-側面板２０の外方に連接される第１の底面形成板５０と、折り線３０ａを介して短辺-側面板３０の外方に連接される第２の底面形成板６０と、を有している。
【００４３】
本考案の第１の景品箱１において、長辺-側面板２０の端部２１の長さと、短辺-側面板３０の端部３１の長さは同じであり、（直角）二等辺三角形からなる連結板４０の底辺を等分となるように折り線４０ａを中心として折り畳むことにより、長辺-側面板２０の端部２１と短辺-側面板３０との端部３１とが合致するようになっている。
【００４４】
長辺-側面板２０の端部近傍には、被着対象であるコーナーカットカートン製品外箱８００のコーナーカット平面Ｓ（図７参照）を覆う面を形成するための、コーナーカット角度θ（通常、４５°）と実質的に同じ角度θ´で内側に切り込まれた傾斜カットライン２５が形成されている。実質的に同じ角度θ´とは、θ´＝θ±５°の範囲をいう。なお、コーナーカット角度θは、図７に示されるように長手方向の側面８０２に対して、コーナーカット面Ｓが交叉する角度を言う。
【００４５】
第２の底面形成板６０には、傾斜カットライン２５に沿って被着対象であるコーナーカットカートン製品外箱のコーナーカット平面Ｓを覆うことのできる傾斜底部６１と、この傾斜底部６１に折り線６１ａを介して連接されており、被着対称であるコーナーカットカートン製品外箱の端部の頂部である四角形平面Ｐ（図７）を覆うことのできるフラット底部６５を有している。折り線６１ａに沿って形成される符号６１ｂは、折り線６１ａを折り易くかつ折り形態を維持しやすくするための切り込み線６１ｂである。切り込み線６１ｂは、あれば箱組立の際に好適であるが、必須のものではない。
【００４６】
なお、付随的機能として第２の底面形成板６０には、その外方の一方の角部において、切り裂き可能なミシン目６３ａと折り線６３ｂが形成されており、ミシン目６３ａをカットして折り線６３ｂから折り曲げることによって、コーナーカットカートン製品外箱の外フラップ合せ面の隙間へ挿入して一体化固定させるための一体化装着係止片部分６３を形成することが可能となっている。
【００４７】
第２の底面形成板６０のフラット底部６５の先端には、折り線６５ａを介して差し込み片６７が形成されている。この一方で、第１の底面形成板５０には、係止用のスリット５１が形成されている。そして、第１の底面形成板５０を先に畳み込んだ後に第２の底面形成板６０を畳み込んで、係止用のスリット５１に差し込み片６７を挿入することにより、第１の底面形成板５０は、第２の底面形成板６０のフラット底部６５と重なった状態で底部を形成するとともに、着脱可能に係止されることとなる。
【００４８】
（第１の景品箱１の組立手法の説明）
上述してきた図１の展開図に基づく説明に加えて、本考案の構成をより明瞭に理解できるように、第１の景品箱１の組立手法を図３〜図６に基づいて説明する。
【００４９】
まず、最初に、図３に示されるように、上面板１０の長辺１１（折り線）と短辺-側面板３０との端部３１（折り線）を曲げて、長辺-側面板２０および連結板４０（第１の底面形成板５０も一緒）を一体的に起こした後、引き続き、第１の底面形成板５０を折り線２０ａから折り込んで、底部の基礎を形成する（図３の状態に至る）。例えば、この状態あるいはこの状態の前で、景品箱の内部に販促用の景品が挿入される。
【００５０】
次いで、図４に示されるように、短辺-側面板３０を折り曲げて起こしつつ、二等辺三角形からなる連結板４０を底辺が等分となるように折り線４０ａを中心として折り畳むことにより、長辺-側面板２０の端部２１と短辺-側面板３０との端部３１とを合致させる。この時、短辺-側面板３０は直角に起立した状態にある（図４の状態）。
【００５１】
さらに、図４に示される状態から、折り線３０ａを介して、傾斜底部６１を折り込むとともに、折り線６１ａを介してフラット底部６５を折り込んで行き、フラット底部６５を第１の底面形成板５０に重ねつつ、差し込み片６７を係止用のスリット５１に差し込んで図５に示される完成された第１の景品箱１の形態に至る。
【００５２】
図５のように形成された第１の景品箱１は、図２に示されるように、上面８角形のコーナーカットカートン製品外箱８００の長手方向の端部に添付されて一体化され、販売に供される。この際、コーナーカットカートン製品外箱８００と第１の景品箱１との一体化・添付は、例えば、一体化の状態で長手方向にフィルムをぐるりと巻きつけることにより行えばよい。
【００５３】
また、図６に示されるように、第２の底面形成板６０のミシン目６３ａをカットして折り線６３ｂから折り曲げることによって、一体化装着係止片部分６３を手前に引き起こし（差し込み片６７は引き抜く）、一対の一体化装着係止片部分６３をコーナーカットカートン製品外箱の外フラップ合せ面の隙間へ挿入して一体化固定させるようにしてもよい。この状態については、後述の第２の実施形態における図８を参考にされたい。さらに、一体化装着係止片部分６３を利用した一体化の状態で長手方向にフィルムをぐるりと巻きつければ、より確実な固定ができ、望ましい。
【００５４】
〔本考案の景品箱の第２の実施形態の説明〕
本考案の景品箱の第２の実施形態（以下、単に『第２の景品箱２』と称す）を図８〜図１４を参照しつつ説明する。
【００５５】
図８は、本考案の第２の景品箱２を展開した平面図（展開図）である。図９は、本考案の第２の景品箱２がコーナーカットカートン製品外箱８００の長手方向の端部に一体化可能に添付された状態を示す斜視図であり、図１０〜図１４は、それぞれ、第２の景品箱２の組み立て手順を経時的に示した概略斜視図である。
【００５６】
本考案の第２の景品箱２は、図９に示されるように、上面８角形のコーナーカットカートン製品外箱８００の長手方向の端部に一体化可能に添付される形態をなしている。すなわち、第２の実施形態である景品箱２は、添付に際して、コーナーカットカートン製品外箱８００の長手方向の端部の頂部である四角形平面Ｐを覆うとともに、コーナーカットカートン製品外箱８００のコーナーカット平面Ｓを延長した延長平面と実質的にオーバーラップする側面１３０を持つ箱形態を有している。『実質的にオーバーラップする』とは、図９において、コーナーカット平面の傾斜角度に合せて、側面１３０の角度を設定し、その角度誤差範囲が±５°であること、および、傾斜角度は双方同じであっても設置位置による高さ方向の位置ずれが生じる場合があり、その場合のその高さズレ範囲が５ｍｍまでの範囲であること、と定義される。
【００５７】
なお、第２の景品箱２の単体での概略の箱形態は、図１４に示される斜視図を参照されたい。
【００５８】
本考案の第２の景品箱２は、図８に示されるように、長辺１１１（折り線）および短辺１１２（折り線）を備える長方形の底面板１１０と、底面板１１０の長辺１１１側にそれぞれ連接される長辺-側面板１２０と、底面板１１０の短辺１１２側にそれぞれ連接される短辺-側面板１３０と、長辺-側面板１２０の端部１２１（折り線）と短辺-側面板との端部１３１（折り線）をそれぞれ連結する菱形形状の連結板１４０と、長辺-側面板１２０の外方に折り線１２０ａを介して連接される第１の上面形成板１５０と、短辺-側面板１３０の外方に折り線１３０ａを介して連接される第２の上面形成板１６０、１６０´と、を有し構成されている。
【００５９】
本考案の第２の景品箱２において、短辺-側面板１３０は、景品箱として、コーナーカットカートン製品外箱８００のコーナーカット平面Ｓを延長した延長平面と実質的にオーバーラップする側面１３０（図９参照）に該当する。
【００６０】
図８に示される長辺-側面板１２０の端部１２１（折り線）の長さと、短辺-側面板１３０の端部１３１（折り線）の長さとは同じ長さに設定されており、菱形形状の連結板１４０を中央折り線１４０ａを基準にして、長辺-側面板１２０の端部１２１と短辺-側面板１３０との端部１３１とが合致するように折り畳むことができるようになっている。
【００６１】
本考案の第２の景品箱２において、長辺-側面板１２０の端部１２１は、コーナーカット平面Ｓ（図９）を延長した延長平面と実質的にオーバーラップする側面（短辺-側面板１３０）の傾斜角度を規定するためのテーパ端として機能がある。そして、長辺-側面板１２０の端部１２１と長辺１１１（折り線）で規定される角度θ2は、コーナーカット角度θを考慮しつつ実質的にオーバーラップする側面（短辺-側面板１３０）を形成できるように設計される。これらの角度θ、θ2はいずれも４５°とすることが望ましい。
【００６２】
本実施の形態における第２の上面形成板１６０、１６０´は、図８の左方に位置する一方の短辺-側面板１３０から折り線１３０ａを介して連接される第１板片１６０´と、図８の右方に位置する他方の短辺-側面板１３０から折り線１３０ａを介して連接される第２板片１６０と、から構成されている。
【００６３】
第１板片１６０´の基部（折り線１３０ａ）には係止用のスリット１６１が形成されており、第２板片１６０の先端には差し込み片１６５が形成されており、係止用のスリット１６１に差し込み片１６５を挿入することにより、第２の上面形成板は、第１の上面形成板と重なった状態で着脱可能に係止される。
【００６４】
なお、本考案の第２の景品箱２の長方形の底面板１１０には、図８および図９に示されるように、コーナーカットカートン製品外箱の外フラップ合せ面の隙間へ挿入して一体化固定させるための一体化装着係止片１７０が形成されている。一体化装着係止片１７０は、略コの字状に切り取られる切り取り用のカット線（ミシン目）１７１と、略コの字状に切り取られた後の残部を直線状に繋ぐ折り曲げ線１７０ａを有して構成される。折り曲げ線１７０ａを基線として、カットされた略コの字状一体化装着係止片１７０が係止片（差し込み片）としての機能を発揮する。
【００６５】
なお、図８において、長辺である折り線１１１の中央部には、係止用突起片を形成するための切り込み線１１１ａが形成されている。そして、折り線１１１を折り曲げることによって、この係止用突起片は、長辺-側面板１２０と一体面となった状態で外方に突出して、コーナーカットカートン製品外箱との一体化に際して、コーナーカットカートン製品外箱の上面板８０１および底面板８０４の上に被着されるようにして係止される（図９参照）。
【００６６】
また、図８において、長辺である折り線１１１の両側近傍には、それぞれ、係止用小突出片を形成するための切り込み線１１１ｂが形成されている。そして、折り線１１１を折り曲げることによって、この係止用小突出片は、底面板１１０と一体面となった状態で外方に突出して、コーナーカットカートン製品外箱との一体化に際して、コーナーカットカートン製品外箱の上面板８０１および底面板８０４に対して垂直に突出した係止突起の状態を形成する（図９参照）。このものは主として、フィルムを巻きつけることにより一体化・添付する際に、固定をより確実にさせるように作用する。
【００６７】
また、図８において、折り線１２０ａに沿って形成される符号１２０ｂは、折り線１２０ａを折り易くかつ折り形態を維持しやすくするため、および一体化・添付する際に、固定をより確実にさせるための切り込み線１２０ｂである。切り込み線１２０ｂは、あれば箱組立の際に好適であるが、必須のものではない。折り線１１２に沿って形成される切り込み線１１２ｂについても同様である。
【００６８】
（第２の景品箱２の組立手法の説明）
上述してきた図８の展開図に基づく説明に加えて、本考案の構成をより明瞭に理解できるように、第２の景品箱２の組立手法を図１０〜図１４に基づいて説明する。
【００６９】
まず、最初に、図１０に示されるように、底面板１１０の長辺である折り線１１１および折り線１３１を折り曲げて、長辺-側面板１２０および菱形形状の連結板１４０を立てるとともに、折り線１２０ａから第１の上面形成板１５０をそれぞれ折り込み、上板の基礎を形成する。なお、第１の上面形成板１５０同士を折り込んだ時に一部、オーバーラップする箇所を有する。
【００７０】
次いで、図１１に示されるように、菱形形状の連結板１４０を中央折り線１４０ａを内側に入れつつ、折り込む操作が開始される。次いで、図１２に示されるように、図面左方の短辺-側面板１３０および第２の上面形成板１６０´（第１板片１６０´）が畳まれる。次いで、図１３に示されるように、図面右方にあった短辺-側面板１３０および第２の上面形成板１６０（（第２板片１６０）が畳まれ、最終的に、係止用のスリット１６１に差し込み片１６５が挿入されて、図１４に示される完成された第２の景品箱２の形態に至る。
【００７１】
図１４のように形成された第２の景品箱２は、図９に示されるように、上面８角形のコーナーカットカートン製品外箱８００の長手方向の端部に添付されて一体化され、販売に供される。
【００７２】
なお、本考案の第２の景品箱２の長方形の底面板１１０には、好ましい態様として一体化装着係止片１７０が形成されているために、このものを、図９に示されるように、コーナーカットカートン製品外箱の外フラップ合せ面の隙間へ上から下に押し込むように挿入して一体化・添付させることができる。もちろん、上記の第１の実施形態と同様に、長手方向にフィルムを巻きつけることにより一体化・添付を行ってもよい。その際必要があれば、切り込み線１１１ｂ、１２０ｂにフィルムが掛かるようにすると、よりしっかりと一体化・添付することができる。
【００７３】
（第２の景品箱２の変形例の説明）
図１５には、上記図８に示される景品箱２をモディファイして、箱強度をさらに高めるように構成した景品箱２´の展開図が示される。
【００７４】
すなわち、モディファイされた景品箱２´（図１５）が、景品箱２（図８）と異なるのは、第１の上面形成板１５０の長手方向両端１５０ａに、さらに補強用の板（パネル）１８０が延設されている点にある。他の構成は同じであり、符号の付加は極力省略する。
【００７５】
図１５に示されるように補強用の板（パネル）１８０は、箱組立に際して底面板１１０に立設する部分の立設板１８１と、底面板１１０に重ねて敷設される敷設板１８５を有して構成される。補強用の板（パネル）１８０の組立方法が図１６に示されている。図１６に示されるように、折り線１５０ａおよび１８０ａに沿って、立設板１８１および敷設板１８５を折り曲げることによって、立設板１８１は底面板１１０の上に立設され、敷設板１８５は底面板１１０の上に重なるように敷設される。
【００７６】
〔本考案の景品箱の第３の実施形態の説明〕
本考案の景品箱の第３の実施形態（以下、単に『第３の景品箱３』と称す）を図１７〜図１８を参照しつつ説明する。
【００７７】
図１７は、本考案の第３の景品箱３を展開した平面図（展開図）である。図１８は、本考案の第３の景品箱３がコーナーカットカートン製品外箱８００の長手方向の端部、特に、コーナーカット平面Ｓに一体化可能に添付された状態を示す斜視図（添付する前の組立途中の景品箱３の斜視図（上蓋の差込固定片３５２を折り曲げて三角柱の筒内部に挿入する途中）を含む）である。
【００７８】
本考案の第３の景品箱３は、図１８に示されるように、上面８角形のコーナーカットカートン製品外箱８００の長手方向の端部に一体化可能に添付される形態をなしている。すなわち、第３の実施形態である景品箱３は、添付に際して、コーナーカットカートン製品外箱８００の長手方向の端部のコーナーカットカートン製品外箱のコーナーカット平面Ｓを覆うとともに、コーナーカット部分に収まる二等辺直角三角形を頂部および底部とする三角柱形状の箱形態を有している。
【００７９】
本考案の第３の景品箱３は、図１７に示されるように、三角柱形状の直角を形成する第１の側面板３１０と第２の側面板３２０と、第１の側面板３１０に連接される第１の底面板３３０と、第２の側面板３２０に連接される第２の底面板３４０と、第２の底面板３４０の長手方向の両端部にそれぞれ形成される蓋板３５０を有して構成される。
【００８０】
蓋板３５０は、第３の景品箱３の頂部および底部を形成するために、二等辺直角三角形の蓋本体３５１と、折り曲げて三角柱の筒内部に挿入される差込固定片３５２を有して構成される。
【００８１】
第１の底面板３３０と、第２の底面板３４０とは重ねられた状態で着脱可能に係止されるようになっている。すなわち、好適な係止態様として、第１の底面板３３０には、打抜きされた略半円形の係止窓３３５が形成されており、第２の底面板には略半円形の差し込み片３４５が形成されており、係止窓３３５に差し込み片３４５を挿入して内部に折り込むことにより着脱可能な係止が可能となっている。
【００８２】
本考案の第３の景品箱３において、三角柱形状の直角を形成する第１の側面３１０および第２の側面３２０は、それぞれ、コーナーカットカートン製品外箱の直交する側面のラインに沿うように構成されており、重ねられた状態にある第１の底面板３３０と第２の底面板３４０との組み合わせ面が、コーナーカットカートン製品外箱のコーナーカット平面Ｓを覆うように構成される。
【００８３】
さらに、本実施の形態において、第２の底面板３４０の端部には一体化装着係止片３６０が２つ形成されている。この一体化装着係止片３６０は、景品箱３をコーナーカットカートン製品外箱８００のコーナーカット平面Ｓに装着させる際に、内フラップと外フラップの重ね隙間に挿入することにより、きわめて簡単に一体化・添付を図ることができる（図１８参照）。
【００８４】
また、図１７に示されるように、第２の底面板３４０の長手方向に沿って、切り取り可能な細長い差込片３４８を形成するようにしてもよい。この差込片３４８を利用することによって、コーナーカット平面Ｓに装着させるに際して、あたかも万年筆等の筆記用具の差込キャップをポケットに差し込むのと同様の扱いによる一体化・添付方法も可能とすることができる。
【００８５】
（第３の景品箱３の組立手法の説明）
図１７に示される展開図の折り線３１０ａ，３２０ａ，３３０ａを折り込み、第１の底面板３３０と第２の底面板３４０とを重ね合わせることによって、三角柱形状の基本筒体が形成される。
【００８６】
次いで、第２の底面板３４０の長手方向の両端部に位置する蓋板３５０を折り線３４０ａから折り込むとともに、差込固定片３５２を折り曲げて三角柱の筒内部に挿入し、二等辺直角三角形の蓋本体３５１からなる頂部および底部を形成する。
【００８７】
このように形成された第３の景品箱３は、図１８に示されるように、内フラップ８１０と外フラップ８２０の重ね隙間に挿入することにより、一体化・添付され、販売に供される。
【００８８】
以上、詳述してきたように、本考案は、上面８角形のコーナーカットカートン製品外箱の長手方向の端部に一体化可能に添付される景品箱であって、添付に際して、コーナーカットカートン製品外箱の長手方向の端部の頂部である四角形平面と、この四角形平面の両端にそれぞれ連接されるコーナーカット平面と、をうまく利用して覆う箱形態を有して構成されているので、コーナーカットカートン製品箱と景品箱の合体状態が違和感なく一体化されて形成されており、見栄えも良い。さらに、違和感なく一体化されているために箱自体のハンドリングも楽であるし、十分な販売促進効果が実現できる。
【符号の説明】
【００８９】
１，２，２´，３…景品箱
１０…上面板
２０…長辺-側面板
３０…短辺-側面板
４０…三角形形状の連結板
５０…第１の底面形成板
６０…第２の底面形成板
１１０…底面板
１２０…長辺-側面板
１３０…短辺-側面板
１４０…菱形形状の連結板
１５０…第１の上面形成板
１６０（１６０´）…第２の上面形成板
３１０…第１の側面板
３２０…第２の側面板
３３０…第１の底面板
３４０…第２の底面板
３５０…蓋板
３６０…一体化装着係止片
Ｓ…コーナーカット平面
Ｐ…頂部である四角形平面
８００…コーナーカットカートン製品外箱
【図１】
0003158654.tif 000003
【図２】
0003158654.tif 000004
【図３】
0003158654.tif 000005
【図４】
0003158654.tif 000006
【図５】
0003158654.tif 000007
【図６】
0003158654.tif 000008
【図７】
0003158654.tif 000009
【図８】
0003158654.tif 000010
【図９】
0003158654.tif 000011
【図１０】
0003158654.tif 000012
【図１１】
0003158654.tif 000013
【図１２】
0003158654.tif 000014
【図１３】
0003158654.tif 000015
【図１４】
0003158654.tif 000016
【図１５】
0003158654.tif 000017
【図１６】
0003158654.tif 000018
【図１７】
0003158654.tif 000019
【図１８】
0003158654.tif 000020
【手続補正書】
【提出日】平成22年2月5日(2010.2.5)
【手続補正１】
【補正対象書類名】実用新案登録請求の範囲
【補正対象項目名】全文
【補正方法】変更
【補正の内容】
【実用新案登録請求の範囲】
【請求項１】
コーナーカット角度θを有する上面８角形のコーナーカットカートン製品外箱の長手方向の端部に一体化可能に添付される景品箱であって、
該景品箱は、添付に際して、コーナーカットカートン製品外箱の長手方向の端部の頂部である四角形平面と、この四角形平面の両端にそれぞれ連接されるコーナーカット平面と、をそれぞれ覆う箱形態を有し、
該景品箱は、長辺および短辺を備える長方形の上面板と、上面板の長辺側にそれぞれ連接される長辺-側面板と、上面板の短辺側にそれぞれ連接される短辺-側面板と、長辺-側面板の端部と短辺-側面板との端部をそれぞれ連結する三角形形状の連結板と、長辺-側面板の外方に連接される第１の底面形成板と、短辺-側面板の外方に連接される第２の底面形成板と、を有し、
長辺-側面板の端部の長さと、短辺-側面板の端部の長さとが同じであり、連結板を折り畳むことにより長辺-側面板の端部と短辺-側面板との端部とが合致するようになっており、
長辺-側面板の端部には、被着対象であるコーナーカットカートン製品外箱のコーナーカット平面を覆う面を形成するための、コーナーカット角度θと実質的に同じ角度で内側に切り込まれた傾斜カットラインが形成されており、
前記第２の底面形成板には、前記傾斜カットラインに沿って被着対象であるコーナーカットカートン製品外箱のコーナーカット平面を覆うことのできる傾斜底部と、この傾斜底部に連接して被着対称であるコーナーカットカートン製品外箱の端部の頂部である四角形平面を覆うことのできるフラット底部を有しており、
前記第１の底面形成板は、前記第２の底面形成板のフラット底部と重なった状態で着脱可能に係止されてなることを特徴とする景品箱。
【請求項２】
前記第１の底面形成板には、係止用のスリットが形成されており、前記第２の底面形成板のフラット底部の先端には差し込み片が形成されており、係止用のスリットに差し込み片を挿入することにより着脱可能に係止されてなる請求項１に記載の景品箱。
【請求項３】
前記連結板は二等辺三角形であり、底辺を等分となるように連結板を折り畳むことにより長辺-側面板の端部と短辺-側面板との端部とが合致するように構成される請求項１または請求項２に記載の景品箱。
【請求項４】
前記第２の底面形成板には、コーナーカットカートン製品外箱のフラップ合せ面の隙間へ挿入して一体化固定させるための一体化装着係止片部分が形成されてなる請求項１ないし請求項３のいずれかに記載の景品箱。
【請求項５】
コーナーカット角度θを有する上面８角形のコーナーカットカートン製品外箱の長手方向の端部に一体化可能に添付される景品箱であって、
該景品箱は、添付に際して、コーナーカットカートン製品外箱の長手方向の端部の頂部である四角形平面を覆うとともに、この四角形平面の両端にそれぞれ連接されるコーナーカット平面を延長した延長平面と実質的にオーバーラップする側面を持つ箱形態を有し、
該景品箱は、長辺および短辺を備える長方形の底面板と、底面板の長辺側にそれぞれ連接される長辺-側面板と、底面板の短辺側にそれぞれ連接される短辺-側面板と、長辺-側面板の端部と短辺-側面板との端部をそれぞれ連結する菱形形状の連結板と、長辺-側面板の外方に連接される第１の上面形成板と、短辺-側面板の外方に連接される第２の上面形成板と、を有し、
長辺-側面板の端部の長さと、短辺-側面板の端部の長さとが同じであり、菱形形状の連結板を折り畳むことにより長辺-側面板の端部と短辺-側面板との端部とが合致するようになっており、
長辺-側面板の端部には、コーナーカット平面を延長した延長平面と実質的にオーバーラップする側面の傾斜角度を規定するためのテーパ端が形成されており、このテーパ端の最外部から第１の上面形成板が連なっており、
前記第２の上面形成板は、前記第１の上面形成板と重なった状態で着脱可能に係止されてなることを特徴とする景品箱。
【請求項６】
前記第２の上面形成板は、一方の短辺-側面板から連接される第１板片と、他方の短辺-側面板から連接される第２板片とから構成されており、第１板片の基部には係止用のスリットが形成されており、第２板片の先端には差し込み片が形成されており、係止用のスリットに差し込み片を挿入することにより着脱可能に係止されてなる請求項５に記載の景品箱。
【請求項７】
前記コーナーカット角度θが４５°であり、前記長辺-側面板の端部を構成するテーパ端の底板面との基部側角度θ2が４５°である請求項５または請求項６に記載の景品箱。
【請求項８】
前記第１の上面形成板の長手方向には、さらに補強用のパネルが延設されてなる請求項５ないし請求項７のいずれかに記載の景品箱。
【請求項９】
前記長方形の底面板には、コーナーカットカートン製品外箱のフラップ合せ面の隙間へ挿入して一体化固定させるための一体化装着係止片が形成されてなる請求項５ないし請求項８のいずれかに記載の景品箱。
【請求項１０】
前記長辺である折り線の中央部には、係止用突起片を形成するための切り込み線が形成されており、当該折り線を折り曲げることによって、当該係止用突起片は、長辺-側面板と一体面となった状態で外方に突出して、コーナーカットカートン製品外箱との一体化に際して、コーナーカットカートン製品外箱の上面板および底面板の上に被着されるようにして係止されることが可能となっており、
前記長辺である折り線の両側近傍には、それぞれ、係止用小突出片を形成するための切り込み線が形成されており、当該折り線を折り曲げることによって、当該係止用小突出片は、底面板と一体面となった状態で外方に突出して、コーナーカットカートン製品外箱との一体化に際して、コーナーカットカートン製品外箱の上面板および底面板に対して垂直に突出した係止突起の状態を形成するようになっている請求項５ないし請求項９のいずれかに記載の景品箱。
【請求項１１】
コーナーカット角度θを有する上面８角形のコーナーカットカートン製品外箱の長手方向の端部に一体化可能に添付される景品箱であって、
該景品箱は、添付に際して、コーナーカットカートン製品外箱のコーナーカット平面を覆うとともに、コーナーカット部分に収まる二等辺直角三角形を頂部および底部とする三角柱形状の箱形態を有し、
該景品箱は、三角柱形状の直角を形成する第１の側面板と第２の側面板と、第１の側面板に連接される第１の底面板と、第２の側面板に連接される第２の底面板と、第２の底面板の長手方向の両端部にそれぞれ形成される蓋板と、を有し、
前記第１の底面板と、前記第２の底面板とは重ねられた状態で着脱可能に係止されてなることを特徴とする景品箱。
【請求項１２】
前記第１の底面板には、係止窓が形成されており、前記第２の底面板には差し込み片が形成されており、係止窓に差し込み片を挿入して内部に折り込むことにより着脱可能に係止されてなる請求項１１に記載の景品箱。
【請求項１３】
三角柱形状の直角を形成する第１の側面および第２の側面が、それぞれ、コーナーカットカートン製品外箱の直交する側面のラインに沿うように構成されており、重ねられた状態にある前記第１の底面板と前記第２の底面板との組み合わせ面が、コーナーカットカートン製品外箱のコーナーカット平面を覆うように構成される請求項１１または請求項１２に記載の景品箱。
【請求項１４】
前記第２の底面板の端部には一体化固定させるための一体化装着係止片が少なくとも２個形成されてなる請求項１１ないし請求項１３のいずれかに記載の景品箱。
【請求項１５】
請求項１ないし請求項１４のいずれかに記載の景品箱が、上面８角形のコーナーカットカートン製品外箱の長手方向の端部に添付されているコーナーカットカートン製品箱。